(57)【特許請求の範囲】
【請求項１】
加熱軟化した熱可塑性樹脂シートを、コア型を用いて真空成形型へ押込むことにより伸ばしながら変形させ、
前記熱可塑性樹脂シートを、真空吸引して真空成形型に密着させることにより、熱可塑性樹脂シートを賦形して樹脂成形品を製造する真空成形方法において、
真空成形型に凸部を形成し、コア型に凹部を形成すると共に、凸部と凹部とを型締め状態で隙間を有してほぼ嵌合合致可能な大きさおよび形状に構成し、
凹部の底面の中央に真空吸引可能な吸引孔を設け、該吸引孔から凹部の底面の周縁へ向けて延びる部分と、凹部の底面の周縁に沿って延びる部分とを有する吸引溝を設けて、
前記真空成形型とコア型とを型締めする途中で、吸引孔および吸引溝を用いて凹部内の空気を吸引し、前記熱可塑性樹脂シートの凹部内に位置する部分を伸ばしながら変形させてコア型の凹部の底面に中央部から周縁部へ向けて順次密着させることにより、前記熱可塑性樹脂シートの凹部内に位置する部分を凹部の形状に予備賦形し、
その後、前記真空成形型とコア型とを型締めして、真空成形型で真空吸引することにより、熱可塑性樹脂シートを本賦形することを特徴とする真空成形方法。
【発明の詳細な説明】
【技術分野】
【０００１】
この発明は、真空成形方法に関するものである。
【背景技術】
【０００２】
従来より、樹脂成形品の製造に真空成形が行われている（例えば、特許文献１参照）。
【０００３】
この真空成形は、加熱軟化した熱可塑性樹脂シートを、真空吸引して真空成形型に密着させることにより、熱可塑性樹脂シートを賦形して樹脂成形品を製造するようにしたものである。
【０００４】
そして、深絞部がある樹脂成形品を製造する場合などには、上記した真空吸引に先立って、加熱軟化した熱可塑性樹脂シートを、コア型を用いて真空成形型へ押込むことにより、熱可塑性樹脂シートを伸ばしながら変形させるようにしている。ここで、深絞部とは、要するに、通常よりも突出量が大きいため成形に困難を伴うような凹凸形状の部分のことである。
【０００５】
また、アンダーカット部がある樹脂成形品を製造する場合などには、上記した真空吸引の際に、コア型に設けた可動プラグを可動させることにより、熱可塑性樹脂シートを可動プラグで部分的に伸ばしながら変形させてアンダーカット部を形成させるようにしている。ここで、アンダーカット部とは、要するに、通常では型抜きが困難となるような深い入込形状の部分のことである。
【０００６】
図５は、深絞部を有する樹脂成形品を成形する従来の真空成形方法を示すものであり、この図では、加熱軟化した熱可塑性樹脂シート１０１と、真空成形型１０２（或いは、キャビティ型）と、コア型１０３とを有する装置構成が用いられる。真空成形型１０２とコア型１０３とは、熱可塑性樹脂シート１０１を挟んで上下に配置されると共に、相対的に近接離反動可能に構成されている。
【０００７】
この真空成形型１０２には、深絞部を形成するための凸部１０４が形成されており、コア型１０３には、深絞部を形成するための凹部１０５が形成されている。凸部１０４と凹部１０５とは、所要の隙間を有してほぼ嵌合合致可能な大きさおよび形状に構成されている。
【０００８】
そして、真空成形型１０２には、真空吸引可能な吸引孔１０２ａが多数形成されている。
【０００９】
図５（ａ）は、型締め開始時の状態を示すものであり、上下に大きく離間された真空成形型１０２とコア型１０３との間に、これらから離した状態で、加熱軟化した熱可塑性樹脂シート１０１が配置されている。
【００１０】
図５（ｂ）は、型締め途中の状態を示すものであり、真空成形型１０２とコア型１０３とが相対的に上記よりも近接されて、凸部１０４の頂部と凹部１０５の先端部とがほぼ同じ高さレベルとなってそれぞれ熱可塑性樹脂シート１０１に接触されている。この際、熱可塑性樹脂シート１０１における、凸部１０４の頂部と凹部１０５の先端部との間に位置している部分１０１ａは、伸ばされる前の状態となっている（長さＡ）。熱可塑性樹脂シート１０１における、凸部１０４の頂部と接した部分１０１ｂは、熱が奪われ、他の部分よりも伸びが低下した状態となる。
【００１１】
図５（ｃ）は、型締め完了時の状態を示すものであり、真空成形型１０２とコア型１０３とが相対的に最も近接されて、凸部１０４と凹部１０５とが所要の隙間を有して嵌り合った状態で熱可塑性樹脂シート１０１に接触されている。この際、熱可塑性樹脂シート１０１の上記した部分１０１ａは、凸部１０４と凹部１０５との嵌合量に相当する分だけ伸ばされている（長さＢ、Ｂ＞Ａ）。上記部分１０１ａは、真空成形型１０２やコア型１０３との接触がないことにより、（周囲の部分（１０１ｂや１０１ｃ）との間で若干の熱移動はあるものの、熱がほとんど奪われていない状態となっており、真空成形型１０２やコア型１０３と接触している周囲の部分（１０１ｂや１０１ｃ）よりは伸び易くなっている。なお、部分１０１ａの両端部については、真空成形型１０２やコア型１０３との間の摩擦抵抗により、ほとんど位置ズレを起こしていない状態となっている。
【００１２】
図５（ｄ）は、真空吸引により熱可塑性樹脂シート１０１が真空成形型１０２に密着された状態（吸着完了状態）を示すものであり、文字通り、熱可塑性樹脂シート１０１が、全体的に真空成形型１０２に密着されて賦形される。この際、熱可塑性樹脂シート１０１の上記した部分１０１ａは、上記した、周囲の部分（１０１ｂや１０１ｃ）よりも伸び易くなっているので、一気に大きく伸ばされることになる（長さＣ、Ｃ＞Ｂ）。但し、部分１０１ａは、有る程度以上に伸びると、硬くなるため、周囲の部分（１０１ｂや１０１ｃ）の伸びも一部加わることになる。
【００１３】
図６は、図５の真空成形方法によって成形された深絞部１０６を有する樹脂成形品の一例であり、自動車の車室内に設けられるインストルメントパネルに対して取付けられる空調装置の吹出口部材１０７を示している。図７は、図６の断面図である。
【００１４】
そして、図７における深絞部１０６の先端部分周辺１０６ａが、上記した部分１０１ａに相当するものであり、図７に示すように、局部的な薄肉化のないものになることが望ましい。
【先行技術文献】
【特許文献】
【００１５】
【特許文献１】特開２００１−１２１６００号
【発明の概要】
【発明が解決しようとする課題】
【００１６】
しかしながら、上記真空成形方法では、以下のような問題があった。
【００１７】
即ち、上記したように、部分１０１ａは、真空成形によって局部的に大きく伸ばされることになるので、局部的に薄肉化する。
【００１８】
このように、熱可塑性樹脂シート１０１が局部的に大きく伸ばされて薄肉化すると、樹脂成形品に局部的な薄肉化によるシワや変形痕が発生し易くなる。そのため、樹脂成形品を後加工する際に支障を生じたり、樹脂成形品自体の品質低下を招いたりするおそれが生じる。
【００１９】
また、樹脂成形品に、局部的な薄肉化による透けや色調低下が発生し易くなる。そのため、樹脂成形品の薄肉化した部分に塗装などの余分な加工を行う必要が生じる。
【００２０】
また、不具合品を出さないために、熱可塑性樹脂シートを、局部的な薄肉化を見込んで厚くする必要が生じ、その分、樹脂使用量増加による熱可塑性樹脂シートの部品コストや重量の増加が生じることになる。
【課題を解決するための手段】
【００２１】
上記課題を解決するために、本発明は、
加熱軟化した熱可塑性樹脂シートを、コア型を用いて真空成形型へ押込むことにより伸ばしながら変形させ、
前記熱可塑性樹脂シートを、真空吸引して真空成形型に密着させることにより、熱可塑性樹脂シートを賦形して樹脂成形品を製造する真空成形方法において、
真空成形型に凸部を形成し、コア型に凹部を形成すると共に、凸部と凹部とを型締め状態で隙間を有してほぼ嵌合合致可能な大きさおよび形状に構成し、
凹部の底面の中央に真空吸引可能な吸引孔を設け、該吸引孔から凹部の底面の周縁へ向けて延びる部分と、凹部の底面の周縁に沿って延びる部分とを有する吸引溝を設けて、
前記真空成形型とコア型とを型締めする途中で、吸引孔および吸引溝を用いて凹部内の空気を吸引し、前記熱可塑性樹脂シートの凹部内に位置する部分を伸ばしながら変形させてコア型の凹部の底面に中央部から周縁部へ向けて順次密着させることにより、前記熱可塑性樹脂シートの凹部内に位置する部分を凹部の形状に予備賦形し、
その後、前記真空成形型とコア型とを型締めして、真空成形型で真空吸引することにより、熱可塑性樹脂シートを本賦形することを特徴とする。
【発明の効果】
【００２２】
本発明によれば、上記構成によって、以下のような作用効果を得ることができる。即ち、予備賦形の時に、吸引溝および吸引孔を用いて凹部内の空気を吸引することにより、熱可塑性樹脂シートの凹部内に位置する部分を先行して凹部に密着するように伸ばしておくことができるようになるので、本賦形で、上記予備賦形された部分が、一気に大きく伸ばされてしまうのを防止することができ、以て、熱可塑性樹脂シートの局部的な伸びによる局部的な薄肉化を抑えることが可能となる。
【図面の簡単な説明】
【００２３】
【図１】深絞部を有する樹脂成形品を成形するこの実施例にかかる真空成形方法を示すものであり、（ａ）は型締め開始時の状態、（ｂ）は型締め途中の状態、（ｃ）は型締めする途中で、空気力を利用して、熱可塑性樹脂シート１０１の少なくとも一部分を部分的に伸ばしながら変形させ始めた状態、（ｄ）は予備賦形が完了した状態、（ｅ）は型締め完了時の状態、（ｆ）は吸着完了状態である。
【図２】図１の真空成形方法を実証するための深絞部を有する樹脂成形品のサンプルを示すものである。
【図３】図２のサンプルに対して行う予備賦形における熱可塑性樹脂シート１０１の延びの様子を示す側面図である。
【図４】図３の各点における上記サンプルの肉厚を計測したデータをまとめたグラフである。
【図５】深絞部を有する樹脂成形品を成形する従来の真空成形方法を示すものであり、（ａ）は型締め開始時の状態、（ｂ）は型締め途中の状態、（ｃ）は型締め完了時の状態、（ｄ）は吸着完了状態である。
【図６】図５の真空成形方法によって成形された深絞部を有する樹脂成形品の一例である。
【図７】図６の断面図である。
【発明を実施するための形態】
【００２４】
以下、本発明を具体化した実施例を、図面を用いて詳細に説明する。
【実施例】
【００２５】
＜構成＞以下、構成について説明する。
【００２６】
図１〜図４は、この実施例の真空成形方法を説明するものである。
【００２７】
この実施例の真空成形方法は、以下のようなものである。即ち、先ず、加熱軟化した熱可塑性樹脂シート２０１を、コア型２０３を用いて真空成形型２０２へ押込むことにより伸ばしながら変形させる。そして、熱可塑性樹脂シート２０１を、真空吸引して真空成形型２０２に密着させることにより、熱可塑性樹脂シート２０１を賦形して樹脂成形品を製造する。
【００２８】
この際、真空成形型２０２とコア型２０３とを型締めする途中で、空気力を利用して、熱可塑性樹脂シート２０１の少なくとも一部分を部分的に伸ばしながら変形させてコア型２０３に密着させることにより、熱可塑性樹脂シート２０１の少なくとも一部分を予備賦形する。
その後、真空成形型２０２とコア型２０３とを型締めして、真空成形型２０２で真空吸引することにより、熱可塑性樹脂シート２０１を本賦形する。
【００２９】
ここで、空気力を利用して予備賦形する熱可塑性樹脂シート２０１の少なくとも一部分とは、要するに、この実施例のように予備賦形しない従来の場合に、局部的に大きく伸ばされて薄肉化してしまう部分とその周辺の部分であり、上記薄肉化する部分よりも広い範囲とされる。より具体的には、例えば、後述するような深絞部の周辺や、アンダーカット部の周辺などである。なお、これ以外の部分に対して予備賦形を行うようにしても良い。
【００３０】
図１は、深絞部を有する樹脂成形品を成形するこの実施例にかかる真空成形方法を示すものであり、この図では、加熱軟化した熱可塑性樹脂シート２０１と、真空成形型２０２（或いは、キャビティ型）と、コア型２０３とを有する装置構成が用いられる。
【００３１】
なお、熱可塑性樹脂シート２０１は、特に図示しないがロール状に巻かれたものを巻戻しながら送給し得るように構成しても良い。そして、熱可塑性樹脂シート２０１の搬送経路の途中に、熱可塑性樹脂シート２０１を加熱する図示しないヒータ装置を設け、このヒータ装置の下流側に上記した真空成形型２０２とコア型２０３とを有する真空成形装置本体を設けるようにしても良い。なお、上記したヒータ装置や真空成形装置本体の部分に、熱可塑性樹脂シート２０１を部分的にクランプ可能な図示しないクランプ装置を設けても良い。
【００３２】
真空成形型２０２とコア型２０３とは、熱可塑性樹脂シート２０１を挟んで上下に配置されると共に、熱可塑性樹脂シート２０１を、コア型２０３を用いて真空成形型２０２へ押込む（型締めを行う）ために、相対的に近接離反動可能に構成されている。
【００３３】
この場合、真空成形型２０２には、深絞部を形成するための凸部２０４が形成されており、コア型２０３には、深絞部を形成するための凹部２０５が形成されている。凸部２０４と凹部２０５とは、所要の隙間を有してほぼ嵌合合致可能な大きさおよび形状に構成されている。
【００３４】
なお、特に図示しないが、上記とは反対に、真空成形型２０２に対して凹部２０５を形成し、コア型２０３に対して凸部２０４を形成するようにしても良い。ここで、深絞部とは、要するに、通常よりも突出量が大きいため成形に困難を伴うような凹凸形状の部分のことである。
【００３５】
また、特に図示しないが、アンダーカット部がある樹脂成形品を製造するために、コア型２０３に可動プラグを設けるようにしても良い。ここで、アンダーカット部とは、要するに、通常では型抜きが困難となるような深い入込形状の部分のことである。
【００３６】
真空成形型２０２には、真空吸引可能な吸引孔２０２ａが多数形成されている。また、コア型２０３には、真空吸引可能な吸引孔２０３ａなどが形成される。これらの吸引孔２０２ａや吸引孔２０３ａには、図示しない真空源（例えば、真空ポンプや真空タンクなど）が接続される。
【００３７】
更に、これらの吸引孔２０２ａや吸引孔２０３ａを使って、空気力を利用して、熱可塑性樹脂シート２０１の少なくとも一部分を部分的に伸ばしながら変形させてコア型２０３に密着させ得るようにする（予備賦形）。なお、空気力は、正圧と負圧との少なくとも一方を利用するものとする。
【００３８】
そのために、例えば、真空成形型２０２の吸引孔２０２ａに対し、図示しない切替弁などによって、上記した真空源と切替可能な、図示しない加圧源（例えば、加圧ポンプや加圧タンクなど）を接続し得るようにする。
【００３９】
また、必要に応じて、コア型２０３の吸引孔２０３ａは、予備賦形に適したものとする。この場合、吸引孔２０３ａは、凹部２０５の底面のほぼ中央の位置に、１本または極く少数本設けるようにする、そして、この吸引孔２０３ａの開口部の周辺に、吸引孔２０３ａと連通して凹部２０５の底面全域に拡がる吸引溝２０３ｂを適宜設けるようにしている。この実施例では、吸引溝２０３ｂは、例えば、吸引孔２０３ａの開口部から十字状などに拡がる放射状部分と、凹部２０５の底面の周縁部に沿って放射状部分の先端部間を繋ぐように延びる閉ループ状の周回部分とを有するものとされている。尚、上記実施例では、コア型２０３の吸引孔を底面のほぼ中央の位置に１本あるいは極数本設けるものとしたが、これに限るものではなく、必要なのは、シート２０１とコア型２０３の間の空気が最後に除去される周縁部が吸引可能であればよい。例えば、中央の底面であればどこでもよく、周縁上に複数設けてもよい。また吸引溝２０３ｂについては、吸引孔２０３ａの位置に応じ設けられ、必要がない場合もある。
【００４０】
図１（ａ）は、型締め開始時の状態を示すものであり、上下に大きく離間された真空成形型２０２とコア型２０３との間に、これらから離した状態で、加熱軟化した熱可塑性樹脂シート２０１が配置されている。
【００４１】
図１（ｂ）は、型締め途中の状態を示すものであり、真空成形型２０２とコア型２０３とが相対的に上記よりも近接されて、凸部２０４の頂部と凹部２０５の先端部とがほぼ同じ高さレベルとなって熱可塑性樹脂シート２０１に接触されている。この際、熱可塑性樹脂シート２０１における、凸部２０４の頂部と凹部２０５の先端部との間に位置している部分２０１ａは、伸ばされる前の状態となっている。熱可塑性樹脂シート２０１における、凸部２０４の頂部と接した部分２０１ｂは、熱が奪われ、他の部分よりも伸びが低下した状態となる。また、熱可塑性樹脂シート２０１は、部分２０１ａと部分２０１ｂとを合せた部分２０１ｃによって凹部２０５をほぼ密閉した状態となっている。
【００４２】
図１（ｃ）は、真空成形型２０２とコア型２０３とを型締めする途中で、空気力を利用して、熱可塑性樹脂シート２０１の少なくとも一部分（この場合には、上記した部分２０１ｃ）を部分的に伸ばしながら変形させ始めた状態を示すものであり、熱可塑性樹脂シート２０１における、凹部２０５を密閉する比較的広い閉ループ状の部分２０１ｃが、全体的に凹部２０５の内方へ向かってほぼ凹状に変形されている。
【００４３】
熱可塑性樹脂シート２０１の少なくとも一部分（部分２０１ｃ）を部分的に伸ばすための空気力には、コア型２０３の吸引孔２０３ａによる凹部２０５内の空気の吸引と、真空成形型２０２の吸引孔２０２ａに加圧源を接続することによる凸部２０４の頂部から熱可塑性樹脂シート２０１へ向けての空気の吹出しとの少なくとも一方を利用することができる。この吸引孔２０３ａからの空気の吸引または吸引孔２０２ａを利用した空気の吹出しは、タイムロスや、熱可塑性樹脂シート２０１の上記部分２０１ｂが凸部２０４の頂部と接して熱を奪われてしまうことを考慮して、上記図１（ｂ）の状態になるよりも少し前から開始するのが好ましい。
【００４４】
この予備賦形の際には、真空成形型２０２とコア型２０３との型締めを停止しても良いし、または、型締めを停止しなくても良い。
【００４５】
図１（ｄ）は、予備賦形が完了した状態を示すものであり、閉ループ状の部分２０１ｃが、コア型２０３の凹部２０５に対してほぼ完全に密着された状態となっている。
【００４６】
この場合、先ず、図１（ｃ）のように閉ループの部分２０１ｃの中心が、凹部２０５の中央に設けた吸引孔２０３ａの開口部に密着し、その後、吸引溝２０３ｂからの吸引によって、徐々に密着範囲が拡がり、最後に凹部２０５の底面の周囲に達するように熱可塑性樹脂シート２０１の上記部分２０１ｃが順次変形されて行く。上記部分２０１ｃの各部の伸びは、このような変形の仕方に応じたものとなる。
【００４７】
図１（ｅ）は、型締め完了時の状態を示すものであり、真空成形型２０２とコア型２０３とが相対的に最も近接されて、凸部２０４と凹部２０５とが所要の隙間を有して嵌り合った状態となり、熱可塑性樹脂シート２０１はコア型２０３に接触されている。この時、上記した予備賦形のための空気の吸引または吹出しは停止される。
【００４８】
熱可塑性樹脂シート２０１の上記した部分２０１ａは、上記した予備賦形によって、周囲の部分２０１ｂと共に先行して広く伸ばされているので、上記した予備賦形を行わない従来の場合と比べて厚肉になっており、しかも、この型締めによって上記した部分２０１ａのみが局部的に大きく伸ばされることはない。
【００４９】
図１（ｆ）は、真空吸引により熱可塑性樹脂シート２０１が真空成形型２０２に密着された状態（吸着完了状態）を示すものであり、文字通り、熱可塑性樹脂シート２０１が、全体的に真空成形型２０２に密着されて本賦形される。
【００５０】
この時、図示しない切替弁によって、真空成形型２０２の吸引孔２０２ａに真空源を接続することによる、真空成形型２０２の真空吸引が行われる。この真空吸引の開始は、型締め完了、或いは、上記した予備賦形のための空気の吸引または吹出の停止とほぼ同時に行うようにする。
【００５１】
この際、熱可塑性樹脂シート２０１の上記した部分２０１ａは、周囲の部分２０１ｂと共に予備賦形によって既に凹部２０５と同じ形状となっているので、この本賦形によって、上記した部分２０１ａのみが局部的に大きく伸ばされるようなことは生じない。
【００５２】
更に、特に図示しないが、アンダーカット部がある場合には、この段階で、コア型２０３に設けた可動プラグを可動させるようにする。なお、この実施例のように予備賦形を行うことによって、本賦形の際における熱可塑性樹脂シート２０１の各部の伸び方が変わると共に、各部の肉厚が従来よりも厚くなるので、可動プラグによってアンダーカット部を形成しなければならないような状況を減らすことができる。
【００５３】
こうして真空成形された樹脂成形品は、例えば、後工程で、表皮材として発泡成形などに利用される。
【００５４】
図２は、図１の真空成形方法を実証するための深絞部２０６を有する樹脂成形品のサンプルを示すものであり、図３は、図２のサンプルに対して行う予備賦形における熱可塑性樹脂シート２０１の延びの様子を示す側面図、図４は、図３の各点における上記サンプルの肉厚を計測したデータをまとめたグラフである。
【００５５】
図３におけるサンプルの各部位の位置を示す点は、図４における各点とそれぞれ対応している。図３の点１〜点３は深絞部２０６の頂部の点、点４〜点８は深絞部２０６の内側面上の点、点９以降は深絞部２０６の底面上の点であり、このうち、特に、点２は深絞部２０６の頂部の中央部、点８は深絞部２０６の内側面と底面とのコーナー部、点１６は深絞部２０６の底面の中央部である。
【００５６】
図４によると、予備賦形を行わない従来の場合に最も薄肉となる点２は最も厚肉となり、点２から点８へ向かって徐々に薄肉となり、点８から点１６へ向かって徐々に厚肉となっていることが確認された。
【００５７】
そして、予備賦形を行わない従来の方法では、賦形前の熱可塑性樹脂シートの肉厚を厚くしても、最も薄肉の点（点２に相当）が最低厚みを満足しない状況であったのが、予備賦形を行うこの実施例の方法では、賦形前の熱可塑性樹脂シート２０１の肉厚を従来のものより薄くしても、最も薄肉の点８について最低厚みを満足できることが確認された。
【００５８】
＜作用効果＞この実施例によれば、以下のような効果を得ることができる。
【００５９】
真空成形型２０２とコア型２０３とを型締めする途中で、吸引溝２０３ｂおよび吸引孔２０３ａを用いて凹部２０５内の空気を吸引し、熱可塑性樹脂シート２０１の凹部２０５内に位置する部分を伸ばしながら変形させてコア型２０３の凹部２０５の底面に中央部から周縁部へ向けて順次密着させることにより、熱可塑性樹脂シート２０１の凹部２０５内に位置する部分を凹部２０５の形状に予備賦形し、その後、真空成形型２０２とコア型２０３とを型締めして、真空成形型２０２で真空吸引することにより、熱可塑性樹脂シート２０１を本賦形するようにしたことで、以下のような作用効果を得ることができる。
【００６０】
即ち、予備賦形の時に、吸引溝２０３ｂおよび吸引孔２０３ａを用いて凹部２０５内の空気を吸引することにより、熱可塑性樹脂シート２０１の凹部２０５内に位置する部分を先行して部分的に凹部２０５に密着するように伸ばしておくことができるようになるので、本賦形で、上記予備賦形された部分が、一気に大きく伸ばされてしまうのを防止することができ、以て、熱可塑性樹脂シート２０１の局部的な伸びによる局部的な薄肉化を抑えることが可能となる。これにより、樹脂成形品に局部的な薄肉化によるシワや変形痕が発生するのを抑えることができると共に、局部的な薄肉化による透けや色調低下が発生するのを抑えることができる。また、熱可塑性樹脂シート２０１の局部的な薄肉化を抑えることができるので、熱可塑性樹脂シート２０１を、局部的な薄肉化を見込んで厚くする必要がなくなり、その分、熱可塑性樹脂シート２０１自体の薄肉化が可能となる。
【００６１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【００６２】
２０１  熱可塑性樹脂シート
２０２  真空成形型
２０３  コア型
【図１】
0005730594.tif 000002
【図２】
0005730594.tif 000003
【図３】
0005730594.tif 000004
【図４】
0005730594.tif 000005
【図５】
0005730594.tif 000006
【図６】
0005730594.tif 000007
【図７】
0005730594.tif 000008